(57)【特許請求の範囲】
【請求項１】
写真フィルムを透過した光が入射されることにより、前記写真フィルムの画像情報および画像記録範囲外に存在する情報を読取手段で読み取る画像読取装置において、
前記光が入射される光透過部において、前記写真フィルムのパーフォレーションを通過する光のみの透過率を前記写真フィルムベースの透過率以下に低下させる減光手段を備え、
前記写真フィルムが搬送される搬送路に設けられた搬送方向と交差する方向に延びるスリット状のガラスからなる光透過部に、前記減光手段が設けられたことを特徴とする画像読取装置。
【請求項２】
前記光透過部は、写真フィルムが搬送される側と反対側の面に反射、フレアー防止処理を施してあることを特徴とする請求項１記載の画像読取装置。
【発明の詳細な説明】
【０００１】
【発明の属する技術分野】
本発明は、ＣＣＤ等を用いて写真フィルム等の画像情報を読み取る画像読取装置に関する。
【０００２】
【従来の技術】
ネガフィルム等の写真フィルムに記録されている画像を印画紙等の感光材料に露光する写真プリンタでは、画像の露光条件の決定等を行うために、写真フィルムのフィルム種、画像のフレームサイズ、露光する画像の特徴量（例えば、平均濃度や色味）等の情報を読み取る必要がある。
【０００３】
また、写真フィルムに記録されている画像をスキャナによって読み取り、この読み取りによって得られた画像データを用いて記録材料への画像の記録、ディスプレイへの画像の表示等を行う画像処理装置においても、上記と同様に写真フィルムに関する各種の情報を読み取る必要がある。このため従来は、読み取るべき各種情報に対応してＣＣＤを設け、ＣＣＤから出力されたデータに基づいて写真フィルムに関する各種情報を各々読み取る構成が一般的であった。
【０００４】
【発明が解決しようとする課題】
しかしながら、写真フィルムには幅方向両端にパーフォレーションが穿設されているため、上記構成では、写真フィルムの各箇所からＣＣＤに入射される光のうち、パーフォレーションが穿設されている箇所を透過した光が過大光量となる。このため、パーフォレーションが穿設されている箇所を透過した光が入射されてもＣＣＤの出力が飽和しないように、写真フィルムに照射される光の光量を下げる必要がある。しかし、写真フィルムの画像記録範囲を透過した光の光量も同時に低下することになるので、写真フィルムに記録された画像情報を精度良く読み取ることができなくなる、という問題がある。
【０００５】
本発明は上記問題点を解消するためになされたもので、写真フィルムに記録された画像情報及び画像記録範囲外に存在する情報を精度良くかつ同時に読み取ることができる画像読取装置を提供することを目的とする。
【０００６】
【課題を解決するための手段】
請求項１に記載の発明では、写真フィルムを透過した光が入射されることにより、前記写真フィルムの画像情報および画像記録範囲外に存在する情報を読取手段で読み取る画像読取装置において、前記光が入射される光透過部において、前記写真フィルムのパーフォレーションを通過する光のみの透過率を前記写真フィルムベースの透過率以下に低下させる減光手段を備え、前記写真フィルムが搬送される搬送路に設けられた搬送方向と交差する方向に延びるスリット状のガラスからなる光透過部に、前記減光手段が設けられたことを特徴とする。
【０００７】
請求項１の発明によれば、例えば、１３５サイズの写真フィルムの場合、長手方向に沿った幅方向の両端部にパーフォレーションが形成されている。光透過部において、パーフォレーションを通過する光は減光手段によって写真フィルムベースを透過する光よりも透過率を低下させられるので、読取手段に光量が大きい光が入射することなく、画像情報が精度よく読み取られる。また、写真フィルムの画像記録範囲外に存在する情報、例えば、写真フィルムのパーフォレーションよりも外側に記録されたＤＸ／ＦＮＳ等のバーコード情報は、その部分を透過した光が減光手段によって減光されないため、精度良く読み取ることができる。
【０００９】
また、ガラスで構成された光透過部に減光手段を設けたため、新たに減光手段だけ設けるよりも簡単な構成になる。しかも、光透過部をガラスで構成したため、ゴミ等が下部に落下することを防止できる。
【００１０】
請求項２に記載の発明では、前記光透過部は、写真フィルムが搬送される側と反対側の面に反射、フレアー防止処理を施してあることを特徴とする。
【００１１】
請求項２の発明によれば、光透過部の写真フィルムが搬送される側と反対側に表面処理が施されている。これは、写真フィルムが搬送される時に、光透過部と摺動するため、表面処理、例えばＡＲコートが剥がれるおそれがある。しかし、本発明では写真フィルムの反対側の面に表面処理を施したため、このおそれはない。
【００１４】
【発明の実施の形態】
以下、図面を参照して本発明の実施の形態について詳細に説明する。なお、以下では、まず本実施の形態に係るディジタルラボシステム１０について説明する。
（ディジタルラボシステムの概略構成）
図１には本実施の形態に係るディジタルラボシステム１０の概略構成が示されており、図２にはディジタルラボシステム１０の外観が示されている。図１に示されるように、ディジタルラボシステム１０は、ラインＣＣＤスキャナ１２、画像処理部１６、レーザプリンタ部１８及びプロセッサ部２０を含んで構成されている。また、図２に示されるように、ラインＣＣＤスキャナ１２と画像処理部１６は入力部９６に設けられており、レーザプリンタ部１８とプロセッサ部２０は出力部９８に設けられている。
【００１５】
ラインＣＣＤスキャナ１２は、ネガフィルムやリバーサルフィルム等の写真フィルムに記録されているフィルム画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を読取対象とすることができる。ラインＣＣＤスキャナ１２は、上記の読取対象のフィルム画像をラインＣＣＤで読み取り、画像データを出力する。
【００１６】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えば、メモリカード等の記憶媒体に出力したり、通信回線を介して他の情報処理機器へ送信する等）ことも可能である。
【００１７】
レーザプリンタ部１８はＲ、Ｇ、Ｂのレーザ光を照射するレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００１８】
（ラインＣＣＤスキャナの概略構成）
図３には、本発明に係るフィルムキャリア１４（詳細後述）を含んで構成されたラインＣＣＤスキャナ１２の光学系の概略構成が示されている。この光学系は、メタルハライドランプやハロゲンランプ等から成る光源６４を備えている。光源６４が焦点位置に位置するように、ＩＲ（赤外光）を透過する放物面状のリフレクタ２４が配設されており、光源６４から射出されリフレクタ２４によって反射された光が写真フィルム２２方向に照射される。
【００１９】
光源６４の光射出側には、光源６４から射出された光のＩＲをカットするＩＲカットフィルタ２６、Ｃ（シアン）、Ｍ（マゼンタ）、Ｙ（イエロー）の調光フィルタ７０Ｃ、７０Ｍ、７０Ｙ、減光フィルタとしてのＮＤフィルタ２８及び写真フィルム２２に照射する光を拡散光とする光拡散ボックス６６が光軸Ｌに沿って順に配設されている。調光フィルタ７０Ｃ、７０Ｍ、７０Ｙは、それぞれ独立に移動可能に構成されており、光源６４から射出された各成分色光の光量のバランスやラインＣＣＤ７４の各成分色光に対する感度等を考慮して光路中への挿入量が調整される。これにより、ラインＣＣＤ７４におけるＲ、Ｇ、Ｂの３色の受光量を調整することができる。
【００２０】
写真フィルム２２は、フィルムキャリア１４によってフィルム面が光軸Ｌと垂直になるように搬送される。フィルムキャリア１４には、光源６４から射出された光が透過する写真フィルム２２の搬送方向と直交する方向に延びた光透過部３２（図４参照）が形成されている（詳細後述）。
【００２１】
写真フィルム２２を搬送するフィルムキャリア１４を挟んで光源６４と反対側には、光軸Ｌに沿って、写真フィルム２２を透過した光を結像させるレンズユニット７２、及び結像位置に設けられたラインＣＣＤ７４が順に配置されている。
【００２２】
図３では、レンズユニット７２として単一のレンズのみを示しているが、このレンズユニット７２は複数枚のレンズから構成されたズームレンズであってもよい。ラインＣＣＤ７４は、ＣＣＤセルが写真フィルム２２の搬送方向（図３に示される矢印Ａ１方向）に直交するようにライン状に配列されて構成されたＣＣＤセル列が３ライン設けられ、各ラインの光入射側にＲ、Ｇ、Ｂの色分解フィルタのいずれかが各々取り付けられた３ラインカラーＣＣＤで構成されている。従って、ＣＣＤセルの配列方向にフィルム読み取りの主走査がなされ、写真フィルム２２が搬送されることによりフィルム画像読み取りの副走査がなされる。なお、ラインＣＣＤ７４は、３本のライン（ＣＣＤセル列）が写真フィルム２２の搬送方向に沿って所定の間隔を隔てて順に配置されているので、同一の画素におけるＲ、Ｇ、Ｇの各成分色の検出タイミングには時間差がある。しかし、本実施の形態では、各成分色毎に異なる遅延時間で測光信号の出力タイミングの遅延を行うことにより、同一の画素のＲ、Ｇ、Ｂの測光信号がラインＣＣＤ７４から同時に出力されるように構成されている。
【００２３】
また、ラインＣＣＤ７４によって読み取られたフィルム画像のデータに基づき、フィルム画像のコントラストが最大となるようにレンズユニット７０の結像点位置を移動させる合焦制御を行う。これにより、レンズユニット７０の結像点位置がラインＣＣＤ７４の受光面に一致される。
【００２４】
（フィルムキャリアの構成）
次に、図４を参照してフィルムキャリア１４について詳細に説明する。図４には、本実施の形態に係るフィルムキャリア１４が示されている。このフィルムキャリア１４は、１３５サイズの写真フィルム２２の搬送に適用可能である。
【００２５】
フィルムキャリア１４には、ベース４０に対して開閉可能なベース４０と略同一なカバー４２が取り付けられている。カバー４２の一側面にはカバー４２の開閉を操作するためのレバー４４が取り付けられている。このレバー４４の係止部（図示せず）がベース４０の図示しない孔に係合することによって、カバー４２をベース４０に圧着させた状態で閉じることができる。
【００２６】
ディジタルラボシステム１０のラインＣＣＤスキャナ１２において読取処理を行うにあたり、オペレータは写真フィルム２２をフィルムキャリア１４に形成されたフィルム挿入口４６に挿入する。このとき、写真フィルム２２に記録されたフィルム画像が予め定められた向きとなるように挿入する。本実施の形態では、写真フィルム２２に記録されたフィルム画像を下側に向けて挿入する。
【００２７】
写真フィルム２２が挿入され、先端検出センサ５２によって写真フィルム２２の先端が検出されるとローラ駆動モータ８４が駆動する。ローラ駆動モータ８４が駆動されることにより、タイミングベルト８２、プーリ８５を介して搬送ローラ対５４、６０、６８が同時にかつ同一方向に回転し、写真フィルム２２を所定方向（図３に示される矢印Ａ１方向）へ挟持搬送する。なお、搬送される写真フィルム２２の表面に付着した埃等はゴミ取りローラ５６等によって取り除かれる。
【００２８】
写真フィルム２２がフィルム搬送路３４（図６参照）に形成された光透過部３２の上部を通過するとき、ラインＣＣＤ７４は写真フィルム２２に記録されたフィルム画像及び写真フィルム２２の情報が記録されたバーコード３７を同時に読み取る。すなわち、光源６４から射出されて光透過部３２及び写真フィルム２２を透過した光がレンズユニット７２を介してラインＣＣＤ７４に入射される。（光透過部の構成）
フィルム搬送路３４に沿って配設された搬送ローラ対６０と搬送ローラ対６８の間、すなわちフィルム搬送路３４の中央部近傍には、光透過部３２が形成されている（図４参照）。
【００２９】
この光透過部３２は次のように構成されている。すなわち、図５に示すように、フィルム搬送路３４に形成された開口部１００に、両端が水平で中央部分に円弧状のＲがついている、太鼓橋形状の透明なガラス板１０２が嵌合されている。したがって、図６に示すように、ガラス板１０２の搬送方向（矢印Ａ方向、以下Ａ方向という）の中央部が搬送路３４に突出している。本実施形態の中央部はＲ８（mm）で水平部から中央部までの高さＨ（図６参照）が１mmである。これは、搬送される写真フィルム２２が搬送方向と直交する方向（矢印Ｂ方向、以下、Ｂ方向という）に反るおそれがあるため、ガラス板１０２の部分でＡ方向に反らすことでＢ方向（主走査方向）の反りをとって平面性を確保する。これにより、写真フィルム２２の画像読取が精度良く行われる。
【００３０】
図５に示すように、ガラス板１０２の搬送路３４側と反対側の面（以下、裏面という）１０２Ａに銀、アルミの蒸着膜１０３が蒸着され、ＮＤフィルタ１０４が形成されている。ＮＤフィルタ１０４の蒸着膜１０３の部分は、太鼓橋形状のＡ方向頂点部分においてＢ方向の中央部分に孔部１０６、Ｂ方向の両端部に切欠部１０８Ａ、１０８Ｂを形成している。したがって、孔部１０６と切欠部１０８Ａ、１０８Ｂの間に減光部１１０Ａ、１１０Ｂが形成されることになる。
【００３１】
なお、この蒸着膜１０３の上（表面側）に反射、フレアー防止用のＡＲコート（図示せず）が設けられている。このように、蒸着膜１０３やＡＲコートをガラス板１０２の裏面１０２Ａ側に形成しているため、写真フィルム２２の搬送によってＡＲコート等が剥がれることはない。
【００３２】
ガラス板１０２に蒸着膜１０３を蒸着することにより形成されたＮＤフィルタ１０４において、孔部１０６、切欠部１０８Ａ、１０８Ｂ、減光部１１０Ａ、１１０Ｂからなる部分が光透過部３２になる。図７に示すように、孔部１０６が写真フィルム２２の画像情報部分に、切欠部１０８Ａ、１０８Ｂがバーコード３７に、減光部１１０Ａ、１１０Ｂがパーフォレーション３６に対応している。
【００３３】
ここで、減光部１１０Ａ、１１０Ｂは、パーフォレーション３６のＢ方向の幅よりも若干広く形成されている。この構成により、搬送時に写真フィルム２２が蛇行してＢ方向に変位があっても、パーフォレーション３６を透過する光が減光部１１０Ａ、１１０Ｂによって確実に減光される。
【００３４】
なお、光透過部３２のＢ方向の長さは、図７に示すように、写真フィルム２２に記録されたフィルム画像における写真フィルム２２のＢ方向の長さよりも長く形成されている。
【００３５】
次に、本発明の実施の形態の作用を説明する。
画像読取時に、写真フィルム２２がフィルム搬送路３４に形成された光透過部３２の上部を通過するとき、ラインＣＣＤ７４は写真フィルム２２に記録されたフィルム画像及び写真フィルム２２の情報が記録されたバーコード３７を同時に読み取る。すなわち、光源６４から射出されて光透過部３２及び写真フィルム２２を透過した光がレンズユニット７２を介してラインＣＣＤ７４に入射される。このとき、光源６４から射出された光は光透過部３２の減光部１１０Ａ、１１０Ｂによって減光されるため、写真フィルム２２のパーフォレーション３６を透過する光は減光される。
【００３６】
このように、減光部１１０Ａ、１１０Ｂによって減光された光がラインＣＣＤ７４に入射され、パーフォレーション３６を透過した光の光量が過大になることがなく、また写真フィルム２２に記録されたフィルム画像およびバーコード３７を透過した光の光量が過少になることがないので、写真フィルム２２に記録されたフィルム画像と写真フィルム２２の情報が記録されたバーコード３７を精度良くかつ同時に読み取ることができる。
【００３７】
また、本実施の形態では、ラインＣＣＤ７４に入射される光の光量が多い部分を減光する減光部１１０Ａ、１１０Ｂとして、光減光用の蒸着膜を光透過部３２に嵌合されたガラス板１０２に蒸着することによって設けた例について説明したが、これに限るものではない。例えば、スリット状の開口部（素抜け）を形成し、この開口部の長手方向両端部近傍（パーフォレーション対応部分）にＮＤフィルタを設ける構成にしてもよい。
【００３８】
さらに、本実施形態においては、光源６４から射出された光を減光部１１０Ａ、１１０Ｂによって減光し、減光された光を写真フィルム２２に照射する構成としたが、これに限定されるものではない。例えば、光源６４から射出された光を写真フィルム２２に照射し、この写真フィルム２２を透過した光を減光した後にラインＣＣＤ７４に入射するようにしてもよい。すなわち、光を減光するための減光部１１０Ａ、１１０Ｂは、写真フィルム２２の乳剤面側及び乳剤面と反対側のいずれか一方に設けられていればよく、また両方に設けるようにしてもよい。
【００３９】
なお、本実施の形態では、写真フィルム２２の長手方向に沿った幅方向両端部に所定間隔でパーフォレーション３６が穿設されると共に、パーフォレーション３６の近傍に写真フィルム２２のフィルム種やコマ番号等が記録されたバーコード３７が形成された１３５サイズの写真フィルム２２を例として説明したが、適用可能な写真フィルム２２はこれに限定されるものではない。写真フィルムの種類に応じて、それぞれ専用のフィルムキャリアを備えることにより適用可能である。
【００４０】
以下に２４０サイズの写真フィルム（所謂ＡＰＳフィルム）に適用した例について、図８を参照して光透過部３２Ｂを説明する。
【００４１】
図８に示すように、２４０サイズの写真フィルム２２Ｂは、写真フィルム２２Ｂの長手方向に沿った幅方向一端にパーフォレーション８８が形成され、長手方向端部で幅方向他端にターンアラウンドパーフォレーション（以下、ＴＡＰという）９０が形成されている。パーフォレーション８８間及び写真フィルム２２Ｂの幅方向他端にフィルム種やコマ番号等が磁気記録された磁気層９２が形成されている。
【００４２】
これに対して光透過部３２Ｂは、パーフォレーション８８に対応する減光部１１０Ｃのみを形成している。
【００４３】
このように形成された光透過部３２Ｂは、写真フィルム２２Ｂの画像読取時に、パーフォレーション８８を透過した光を減光してラインＣＣＤ７４に過大な光量の光が入射されるのを防ぐ。さらに、ＴＡＰ９０の部分が読み取りに入る前に写真フィルム２２Ｂの搬送を停止するように制御しているため、ＴＡＰ９０を透過した光が減光されることなくラインＣＣＤ７４に入射されることも防げる。
【００４４】
これらのフィルムに限定されず、１コマ毎にスライド用のホルダに保持されたスライドフィルム（リバーサルフィルム）（図示省略）等にも適用可能である。
【００４５】
なお、本形態に係るディジタルラボシステム１０では、画像読取の際に、先ず、バーコード情報や画像濃度、画像サイズ等を読み込むプレスキャンを行い、読取条件を設定する。次に読取条件に基づいて画像情報を読み取るファインスキャンを行う。したがって、写真フィルム２２にパノラマサイズの画像情報が入っていた場合、プレスキャンの時に通常の画像と同様にしてバーコード情報等を読み取る。続くファインスキャンの時にＬＨＰレバー６２（図４参照）を駆動して画像情報範囲外の部分を遮光部６２Ａで遮光する。このようにパノラマサイズの画像情報にも対応できる。
【００４６】
【発明の効果】
請求項１記載の本発明は上記構成としたので、写真フィルムのパーフォレーションの透過光のみが減光手段により減光されるため、画像情報だけでなくバーコード情報などの画像記録範囲外に存在する情報も精度良く読み取ることができる。
【００４７】
また、ガラスに減光手段を設けたため、構成が簡単になるとともに、ゴミなどが光透過部から下部へ落下することがない。
【００４８】
請求項２記載の本発明は上記構成としたので、光透過部の表面処理、例えばＡＲコート等が傷つけられることがない。
【図面の簡単な説明】
【図１】本実施形態に係るディジタルラボシステムの概略構成図である。
【図２】本実施形態に係るディジタルラボシステムの外観図である。
【図３】本実施形態に係るラインＣＣＤスキャナの光学系を示す概略斜視図である。
【図４】本実施形態に係るフィルムキャリアの内部構成を示す概略斜視図である。
【図５】本実施形態に係るフィルムキャリアのフィルム搬送路に設けられた光透過部を示す分解斜視図である。
【図６】本実施形態に係るフィルムキャリアのフィルム搬送路に設けられた光透過部を示す概略斜視図である。
【図７】本実施形態に係る光透過部とフィルムの関係を示す平面図である。
【図８】本実施形態に係る光透過部の他の実施例を示す平面図である。
【符号の説明】
１０      ディジタルラボシステム
１４      フィルムキャリア（搬送手段）
２２      写真フィルム
３２      光透過部
３６、８８      パーフォレーション
７４      ラインＣＣＤ（読取手段）
１１０Ａ、１１０Ｂ、１１０Ｃ    減光部（減光手段）
【図１】
0003710924.tif 000002
【図２】
0003710924.tif 000003
【図３】
0003710924.tif 000004
【図４】
0003710924.tif 000005
【図５】
0003710924.tif 000006
【図６】
0003710924.tif 000007
【図７】
0003710924.tif 000008
【図８】
0003710924.tif 000009